(57)【要約】      （修正有）【課題】凸部と凹部をかみ合わせて組み立てる立方体状の組み立てブロックにおいて、立て・横・上下のどの方向にも直接につなげるようにする。さらに、組み立てた形の表面に凸部が出てしまうのを防いで、すっきりとした形になるようにする。【解決手段】組み立てブロックの形状を、直方体状のものの１つの頂点で接する３つの面に凹部を設け、残りの３つの面に凸部を設けたものとする。さらに、その組み立てブロックのほかに、その凸部を設ける面を少なくあるいは無しにしてどの面に凸部を設けるかによって違ってくる種類のブロックを用意し、それらを組み合わせて使うようにする。また、それらのブロックの直方体状のものの３辺の長さを同じにし、外形を立方体状にする。【選択図】図１０
2010279671.tif 000002
【特許請求の範囲】
【請求項１】
直方体状のものの１つの頂点で接する３つの面に凹部を設け、残りの３つの面に凸部を設けた、組み立てブロック。
【請求項２】
請求項１の組み立てブロックや、このブロックのいくつかの面の凸部を取り除いた形状のブロックを、組み合わせて使う組み立てブロック。
【請求項３】
外形を立方体状にした、請求項２の組み立てブロック。
【請求項４】
内部を中空にして１つの面に開口部を設けた、請求項１の組み立てブロックおよび請求項２の組み立てブロック。
【請求項５】
開口部をキャップ口の形にした、請求項１の組み立てブロックおよび請求項２の組み立てブロック。
【請求項６】
ブロックに通し穴を開けた、請求項１の組み立てブロックおよび請求項２の組み立てブロック。
【発明の詳細な説明】
【技術分野】
【０００１】  この発明は、組み立てブロックに関するものである。
【背景技術】
【０００２】  従来、一面に凸部と反対側の面に凹部設け、それをかみ合わせて立体的に組み立てる、直方体状の組み立てブロックがあった。
【発明の開示】
【発明が解決しようとする課題】
【０００３】  これらの組み立てブロックは、直方体状の縦・横・高さのうちの１つの方向には直接まっすぐつなげるが、他の方向には直接にはまっすぐつなげない不便があった。
また、組み立てたときに多くの凸部が外面に出てしまい、少ない種類や数のブロックですっきりとした形を組み立てるのが、難しかった。
本発明は、これらの欠点を除くためになされたものである。
【課題を解決するための手段】
【０００４】  組み立てブロックの形状を、直方体状のものの１つの頂点で接する３つの面に凹部を設け、残りの３つの面に凸部を設けたものとする。
さらにこの組み立てブロックのほかに、このブロックの、いくつかの面の凸部をなくした種類のブロックを用意し、それらを組み合わせて使うようにする。
また、それらのブロックの直方体状のものの３辺の長さを同じにし、外形を立方体状にする。
さらに、ブロックの内部を中空にして１つの面に開口部を設ける。
さらに、その開口部をキャップ口の形にする。
また、ブロックに通し穴を設け、軸を通せるようにする。
【発明の効果】
【０００５】  直方体状のものの１つの頂点で接する３面に凹部を設け、残りの３面に凸部を設けたブロックを作れば、ブロックを同じ向きにしたまま縦・横・上下のどの方向にもつなぐことができるので、いろいろな形のものを簡単に組み立てることができる。
凸部あるいは凹部には、差し込むときの空気を逃がすのに、穴や溝あるいは欠けた形の部分などで隙間を設けておいてもよい。
このとき、組み立てたものの外面のうちの３つの方向の面に、凸部がいくつか突き出ることになる。
ここで、この組み立てたものの表面に出る凸部だけを取り除いてしまえば、すっきりとした形にできることになる。
そこであらかじめ、このブロックのいくつかの面の凸部を取り除いた形のブロック、すなわち、凸部が３面あるブロックのほかに、凸部が２面だけのもの、１面だけのもの、凸部のないもの、の各ブロックを用意する。
そしてブロックの凹部のある方向をそろえたまま、組み立てたもの外面に凸部が出ないように、ブロックを選んでつないでいけば、すっきりとした外形に組み立てることができる。
接続面に凸部のある面、非接続面に凸部のない面がくるように選んでつないでいけばよいわけである。
凹部についてはもともと突き出るものではなく、また細いあるいは小さな開口部の凹部とすることによって、さらに目立ちにくくすることができる。また、凹部のある面の１つを底面にしてブロックを並べるようにすることによって、いっそう目立たなくすることができる。ブロックの凹部のない３つの面を視界に向けて置くようにブロックを組み立てれば、さらに目立ちにくくすることができる。
また凹部のある面や凸部のある面は逆に、組み立てたものをおもちゃとして使うときなど、車輪の軸受けをつけたり、列車の連結器をつけたり、窓や人形を取り付けたり、あるいは立方体を半分に切った形の直角二等辺三角柱状などのブロックをつないだり、いろいろな付属品をつけるのに使うこともできる。ブロック状の形や複数のブロックを合わせた形の部分にメカニズムを収めてその外に車輪をつけた、プルバック機構のような動力部をつないでもよい。
組み立てたものは、３方向の面がかみ合わすための凹凸がない面に、反対側の３方向の面が小さな凹部が並ぶだけのすっきりとした外形になる。
また、他の直方体状のブロックと接するすべての面で接続することができるので、しっかりとした組み立てにすることができる。
以上が基本的な組み立て方であるが、目的に応じて変則的な組み立て方をすることもできる。
このとき、３つの方向の面のそれぞれに凸部があるかないかによって、２×２×２＝８通りのブロックが必要なことになる。
すなわち、凸部のないブロックと，凸部が３面にあるブロックは、それぞれ１種類だけであるが、凸部が１面だけのブロックと２面だけのブロックとは、３面のうちのどれに凸部があるかによってそれぞれ３種類の形があることになる。
ここで、この直方体状のブロックの３辺の長さを同じにして立方体状のものにすれば、凸部が１面だけのブロックと２面だけのブロックとは、それぞれ１種類の形のものを置く向きを変えることによって、すなわち凹部のある３つの面の交点を中心として回転させることによって、凹部のある３面の位置をそろえたまま凸部のある面の位置を入れ替えることができるので、基本的なブロックを全部で４種類ですますことができる。
また、ブロックの内部を中空にして１つの面に開口部を設ければ、材料の節約と軽量化ができ、温度による内部の空気の体積の変化でブロックが膨れたり縮んだりして変形することもない。
開口部は、接続する凸部のある面に設けるようにすれば、開口部が組み立てたものの外面に現われないですむ。特に凸部が３面にあるブロックについては向きを変える必要がなく底面を固定しておけるので、置いたときに見えないですむ底面に開口部を設けてもよい。
凸部のないブロックについては、やはり底面になる面に開口部を設ければ開口部は見えないですむ。特に立方体状の凸部のないブロックについては、凹部のある面の１つに開口部を設けて、そこが接続面になるようにブロックを回転させて組み合わせれば、組み立てたものの底面にも開口部が現われないようにすることができる。
したがって、開口部は小さな穴でもよいが、一面に広がる大きなものにしておくこともできる。
さらに開口部をキャップ口の形にしてペットボトルなどの容器のキャップにすれば、使用後のキャップを捨てずにブロックとして遊ぶことができる。
またブロックの何種類かあるいは全部に通し穴を設けることによって、車輪の軸を通す軸穴などとして、軸受けを追加することなしに組み立てたものを簡単におもちゃの車などにして遊ぶことができる。またこの通し穴を、小さな開口部として空気抜きの穴を兼ねさせておくこともできる。
以下、各図について説明する。
図１は凸部が３面にある直方体状のブロックを凹部のある３面の方向から見たもの。
図２はそれを凸部のある３面の方向から見たもの。
図３〜図５は、第２図のブロックから１つの面の凸部を取り除いた３種類のもの。
図６〜図８は、同様に２つの面の凸部を取り除いた３種類のもの。
図９は、同様に３つの面の凸部を取り除いたもの。
図３〜図９のブロックは、凹部のある３面の方向から見るとすべて第図１と同じになる。
図１０は、立方体状のブロックを凹部のある３面の方向から見たもの。凹部や凸部を細くした形状のものを示した。
図１１は凸部が３面にある立方体状のブロックを凸部のある３面の方向から見たもの。
図１２〜図１４は、図１１のブロックから１つの面の凸部を取り除いたものをそれぞれ向きを変えて置いたもの。
図１５〜図１７は、同様に２つの面の凸部を取り除いたものをそれぞれ向きを変えて置いたもの。
図１８は、同様に３つの面の凸部を取り除いたもの。
なお図１０〜図１８はすべて通し穴を設け、また凸部のかどに、差し込むときの空気を逃がすための形の欠けた部分を設けた。
図１９、図２０、図２１はそれぞれ、図１１、図１２、図１５に示したものの凸部のある１つの面に大きな開口部を設けたもの。ただしそれにより空気抜きに穴を設ける必要はなくなるので、通し穴は車の形を作ったときに一番下に来ることが多いと思われる、凸部のある面が２つ以下のブロックだけに設けた。
図２２は、図１８のものの凹部のある１つの面に大きな開口部を設けて下方から見たもの。
図２３は、下部にキャップ口を設けた立方体状のブロック凸部が３面にあるものを、凹部のある３面の方向から見たもの。凸部のある面が１つおよび２つのブロックのキャップ口は凸部のある面に設けなければならないので、それを大きく設けた場合の邪魔にならないように、凹部やそれに合わせた凸部の位置を面の中心からずらしたものを示した。このため大きなキャップ口を凹部のある面に設けるにはキャップ口の深さのために側面の凹部の位置が邪魔になることになるので、大きなキャップ口は４種類のブロックですべて、凹部のない面に設けることになる。このブロックを並べて組み立てるときに後に述べる理由から凹部のある面が上面に来るため、車の形を作ったときに一番下に来ることが多いであろう、凸部のないブロックと凸部が１つの面だけにあるブロックにだけ通し穴を設けた。
図２４は、下部にキャップ口を設けた凸部が３面にある立方体状のブロックを、凸部のある３面の方向から見たもの。キャップ口の中から凸部が突き出ているため、キャップを容器からはずして置く時は、横向きあるいは上下逆向きに置くことになる。キャップを容器にはめる際に邪魔にならないように、キャップ口から突き出る凸部の断面を小さなＬ字型とした。側面の凸部はすっきりとした平板状とし、凹部の断面はそれらに合わせて大きなＬ字型とした。
図２５は、図２４のブロックから１つの面の凸部を取り除いたもの。
図２６は、図２４のブロックから２つの面の凸部を取り除いたもの。通し穴を設けたものを示した。
図２７は、図２４のブロックから３つの面の凸部を取り除いたもの。このブロックはキャップ口が見えないようにキャップ口を下に向けた向きで組み合わせることになるので、組み合わせたものは凹部のある面が上面に並ぶ形となる。通し穴を設けたものを示した。
なおペットボトルのキャップをこのブロックにする場合、ペットボトルの口を小さめのものにすれば、より使いやすい大きさのブロックにすることができると思われる。
図２８〜図３３は立方体状のブロックと組み合わせて使う１種類の直角二等辺柱状のブロックを、いろいろ向きを変えて置いたもの。図２８、図２９、図３０の向きを１８０度回すと、２つの凹部の形が入れ替わった状態となってそれぞれ図３１、図３２、図３３のようになる。図１０のブロックに組み合わせる形状のものを示した。これらの向きで凹部のある正方形の２面のうち１面でも凸部のある面と接すれば、組み合わせて使えることになる。
図３４〜図３９は、図１０〜図１８に示した４種類のブロックを、それぞれ２つの型をくっつけて作る場合の型の例。図４０と図４１は、それらをくっつけて作ったブロックで、継ぎ目も表示したもの。通し穴を設けたものを示した。
図３４〜図３６は、ブロックを作るための一方の型。図３７はそれを反対方向から見たところ。３つとも裏側は同じになる。
図３８と図３９は、ブロックを作るためのもう一方の型。図３８の型は、図３４〜図３６の型と合わせて凸部のある３種類のブロックを作り、図４０のようになる。図３９の型は、図３６の型と合わせて凸分のないブロックを作り、図４１のようになる。
なお通し穴が必要ないときは、凸部のある面が２つのブロックは図３４の型と図３９の型を合わせても作れることになる。この場合、図３５の型がなくても４つの型だけで４種類のブロックを作れることになる。
【発明を実施するための最良の形態】
【０００６】  立方体状のものの１つの頂点で接する３つの面に凹部を設け、残りの３つの面のそれぞれには、凸部を設けあるいは設けないようにした組み立てブロックを、凸部を設ける面の数の違いによって４種類そろえる。
各ブロックの内部を中空にし、外部への空気抜きの穴を兼ねてブロックに通し穴を設ける。
【図面の簡単な説明】
【０００７】
2010279671.tif 000003
【図１】
2010279671.tif 000004
【図２】
2010279671.tif 000005
【図３】
2010279671.tif 000006
【図４】
2010279671.tif 000007
【図５】
2010279671.tif 000008
【図６】
2010279671.tif 000009
【図７】
2010279671.tif 000010
【図８】
2010279671.tif 000011
【図９】
2010279671.tif 000012
【図１０】
2010279671.tif 000013
【図１１】
2010279671.tif 000014
【図１２】
2010279671.tif 000015
【図１３】
2010279671.tif 000016
【図１４】
2010279671.tif 000017
【図１５】
2010279671.tif 000018
【図１６】
2010279671.tif 000019
【図１７】
2010279671.tif 000020
【図１８】
2010279671.tif 000021
【図１９】
2010279671.tif 000022
【図２０】
2010279671.tif 000023
【図２１】
2010279671.tif 000024
【図２２】
2010279671.tif 000025
【図２３】
2010279671.tif 000026
【図２４】
2010279671.tif 000027
【図２５】
2010279671.tif 000028
【図２６】
2010279671.tif 000029
【図２７】
2010279671.tif 000030
【図２８】
2010279671.tif 000031
【図２９】
2010279671.tif 000032
【図３０】
2010279671.tif 000033
【図３１】
2010279671.tif 000034
【図３２】
2010279671.tif 000035
【図３３】
2010279671.tif 000036
【図３４】
2010279671.tif 000037
【図３５】
2010279671.tif 000038
【図３６】
2010279671.tif 000039
【図３７】
2010279671.tif 000040
【図３８】
2010279671.tif 000041
【図３９】
2010279671.tif 000042
【図４０】
2010279671.tif 000043
【図４１】
2010279671.tif 000044